(57)【要約】【課題】位置決め精度を高め、樹脂成形品の上面および側面を同時に綺麗に加飾することができる樹脂成形品の製造方法、および、樹脂成形品用の加飾フィルムを提供する。【解決手段】１枚の加飾フィルムで樹脂成形品の上面および側面を加飾する樹脂成形品の製造方法であって、上面加飾部および側面加飾部を有する加飾フィルムを位置決め治具内に配置し位置決めする工程、前記上面加飾部を折り曲げガイドによって上から押圧し、前記折り曲げガイドから突出している前記側面加飾部を折り曲げ手段によって前記上面加飾部に対して折り曲げる工程、前記加飾フィルムを保持手段によって保持して前記位置決め治具から取り出し、金型内へと移動させて前記金型内に配置する工程、前記加飾フィルムが配置された前記金型に樹脂を充填してインサート成形を行い樹脂成形品を形成する工程を含む。【選択図】図９
2019051630.tif 000002
【特許請求の範囲】
【請求項１】
１枚の平坦な加飾フィルムを用いてインサート成形することによって、樹脂成形品の上面および側面を加飾する樹脂成形品の製造方法であって、
前記樹脂成形品の上面を加飾する上面加飾部、および、前記樹脂成形品の側面を加飾する側面加飾部を有する前記加飾フィルムを位置決め治具内に配置し、位置決めする工程、
前記位置決め治具内に配置された前記加飾フィルムの上面加飾部を折り曲げガイドによって上から押圧し、前記折り曲げガイドから水平方向に突出している前記側面加飾部を、折り曲げ手段によって前記上面加飾部に対して折り曲げる工程、
折り曲げられた前記加飾フィルムを保持手段によって保持し、前記位置決め治具から取り出し、金型内へと移動させて前記金型内に配置する工程、および、
折り曲げられた前記加飾フィルムが配置された前記金型に樹脂を充填してインサート成形を行い、樹脂成形品を形成する工程を含むことを特徴とする樹脂成形品の製造方法。
【請求項２】
前記加飾フィルムの側面加飾部を所定の角度に折り曲げた後、前記側面加飾部をさらに折り曲げる工程を含むことを特徴とする請求項１に記載の樹脂成形品の製造方法。
【請求項３】
前記側面加飾部を折り曲げ手段によって折り曲げる際に、前記上面加飾部を前記折り曲げガイドによって押圧し、前記加飾フィルムを下方へと移動させ、前記側面加飾部の下方に配置した前記折り曲げ手段によって、前記側面加飾部を上方に折り曲げることを特徴とする請求項１または２に記載の樹脂成形品の製造方法。
【請求項４】
前記樹脂成形品は、側面の角部が曲面で面取りされた形状を有しており、
前記樹脂成形品に合わせて、前記加飾フィルムは、前記上面加飾部の角部を、前記樹脂成形品の側面の角部の曲面に合わせた曲線でカットし、隣接する前記側面加飾部の端部を、前記樹脂成形品の側面の角部の曲面上で、互いに突き合わされて接触するように形成し、
前記樹脂成形品の側面の曲面からなる１つの角部を、２つの前記側面加飾部によって加飾することを特徴とする請求項１〜３のいずれか１項に記載の樹脂成形品の製造方法。
【請求項５】
隣接する前記側面加飾部の端部を、前記樹脂成形品の側面の曲面からなる角部で、一部が互いに重なり合うように形成することを特徴とする請求項４に記載の樹脂成形品の製造方法。
【請求項６】
樹脂成形品をインサート成形する際に、前記樹脂成形品の上面、側面、および、前記側面の曲面で面取りされた角部を同時に加飾するための加飾フィルムであって、
前記樹脂成形品の上面を加飾する上面加飾部、および、前記樹脂成形品の側面を加飾する側面加飾部を有し、前記上面加飾部および前記側面加飾部は一体で平坦に形成されており、
前記上面加飾部の角部は、前記樹脂成形品の側面の角部の曲面に合わせた曲線でカットされており、
隣接する前記側面加飾部の端部は、前記樹脂成形品の側面の角部の曲面上で、互いに突き合わされて接触するように形成されていることを特徴とする加飾フィルム。
【請求項７】
隣接する前記側面加飾部の端部は、前記樹脂成形品の側面の角部の曲面上で、一部が互いに重なり合うように形成されていることを特徴とする請求項６に記載の加飾フィルム。
【発明の詳細な説明】
【技術分野】
【０００１】
本発明は、樹脂成形品の製造方法、および、樹脂成形品の製造方法に使用する加飾フィルムに関する。
【背景技術】
【０００２】
加飾フィルムを用いて、樹脂成形品の成形と同時に加飾を行う方法として、主にインモールド成形とインサート成形の２種類の成形方法が用いられている。インモールド成形は、金型でロール状の加飾フィルムを挟み込んだ状態で、樹脂を充填し射出成形を行うことにより、樹脂成形品の表面に加飾する（特許文献１参照）。インモールド成形は、樹脂成形品からはみ出した加飾フィルムはバリとなるので切断する工程が必要であり、また、ロール状の加飾フィルムを金型で挟み込むことから位置ずれが生じるという問題がある。
【０００３】
インサート成形は、所定の形状に加工した加飾フィルムを金型内に入れ、金型内に樹脂を充填し射出成形することによって、樹脂成形品の表面を加飾する方法である（特許文献２参照）。インサート成形は、インモールド成形と比べて、箔バリの問題が無く、位置ずれが生じ難いという利点がある。しかしながら、樹脂成形品の上面だけではなく側面を同時に加飾するためには、プレフォームフィルムを用いる必要があり、工程が複雑になり、製造コストが増加するという問題がある。そのため、インサート成形を用いて低コストで樹脂成形品を加飾する場合、樹脂成形品の上面だけしか加飾できないという問題がある。
【０００４】
このようなインサート成形の問題点を解消するために、加飾フィルムに折り線を設けて、加飾フィルムを折り曲げし易くする方法が用いられており、これにより、高価なプレフォームフィルムを用いることなく、樹脂成形品の側面を加飾している（特許文献３参照）。
【先行技術文献】
【特許文献】
【０００５】
【特許文献１】特開２０１４−１８４７２６号公報
【特許文献２】特開２０１３−１８４２９４号公報
【特許文献３】特開２０１６−５５６２２号公報
【発明の概要】
【発明が解決しようとする課題】
【０００６】
しかしながら、加飾フィルムに折り線を設けた場合、加飾フィルムの外形寸法にバラツキが発生し、位置決め精度が悪くなるという問題がある。また、折り線として加飾フィルムに切り込みを入れることから、前記加飾フィルムの折り曲げ箇所が伸ばされて破れ易くなり、また、伸ばされた箇所が薄くなり下地が透けて見えるという問題がある。さらに、樹脂成形品の角部が曲面で面取りされている場合、角部のＲが大きくなると１枚の加飾フィルムで加飾できない部分が生じるという問題がある。
【０００７】
そこで、本発明は、位置決め精度を高くし、かつ、樹脂成形品の上面および側面を低コストで同時に加飾することができる、樹脂成形品の製造方法、および、樹脂成形品の製造方法に使用する加飾フィルムを提供することを目的とする。
【課題を解決するための手段】
【０００８】
本発明の樹脂成形品の製造方法は、１枚の平坦な加飾フィルムを用いてインサート成形することによって、樹脂成形品の上面および側面を加飾する樹脂成形品の製造方法であって、前記樹脂成形品の上面を加飾する上面加飾部、および、前記樹脂成形品の側面を加飾する側面加飾部を有する前記加飾フィルムを位置決め治具内に配置し、位置決めする工程、前記位置決め治具内に配置された前記加飾フィルムの上面加飾部を折り曲げガイドによって上から押圧し、前記折り曲げガイドから水平方向に突出している前記側面加飾部を、折り曲げ手段によって前記上面加飾部に対して折り曲げる工程、折り曲げられた前記加飾フィルムを保持手段によって保持し、前記位置決め治具から取り出し、金型内へと移動させて前記金型内に配置する工程、および、折り曲げられた前記加飾フィルムが配置された前記金型に樹脂を充填してインサート成形を行い、樹脂成形品を形成する工程を含むことを特徴とする。
【０００９】
前記加飾フィルムの側面加飾部を所定の角度に折り曲げた後、前記側面加飾部をさらに折り曲げる工程を含む。
【００１０】
前記側面加飾部を折り曲げ手段によって折り曲げる際に、前記上面加飾部を前記折り曲げガイドによって押圧し、前記加飾フィルムを下方へと移動させ、前記側面加飾部の下方に配置した前記折り曲げ手段によって、前記側面加飾部を上方に折り曲げる。
【００１１】
前記樹脂成形品は、側面の角部が曲面で面取りされた形状を有しており、前記樹脂成形品に合わせて、前記加飾フィルムは、前記上面加飾部の角部を、前記樹脂成形品の側面の角部の曲面に合わせた曲線でカットし、隣接する前記側面加飾部の端部を、前記樹脂成形品の側面の角部の曲面上で、互いに突き合わされて接触するように形成し、前記樹脂成形品の側面の曲面からなる１つの角部を、２つの前記側面加飾部によって加飾する。
【００１２】
隣接する前記側面加飾部の端部を、前記樹脂成形品の側面の曲面からなる角部で、一部が互いに重なり合うように形成する。
【００１３】
本発明の加飾フィルムは、樹脂成形品をインサート成形する際に、前記樹脂成形品の上面、側面、および、前記側面の曲面で面取りされた角部を同時に加飾するための加飾フィルムであって、前記樹脂成形品の上面を加飾する上面加飾部、および、前記樹脂成形品の側面を加飾する側面加飾部を有し、前記上面加飾部および前記側面加飾部は一体で平坦に形成されており、前記上面加飾部の角部は、前記樹脂成形品の側面の角部の曲面に合わせた曲線でカットされており、隣接する前記側面加飾部の端部は、前記樹脂成形品の側面の角部の曲面上で、互いに突き合わされて接触するように形成されていることを特徴とする。
【００１４】
隣接する前記側面加飾部の端部は、前記樹脂成形品の側面の角部の曲面上で、一部が互いに重なり合うように形成されている。
【発明の効果】
【００１５】
本発明の樹脂成形品の製造方法は、１枚の平坦な加飾フィルムを用いてインサート成形することによって、樹脂成形品の上面および側面を加飾する樹脂成形品の製造方法であって、前記樹脂成形品の上面を加飾する上面加飾部、および、前記樹脂成形品の側面を加飾する側面加飾部を有する前記加飾フィルムを位置決め治具内に配置し、位置決めする工程、前記位置決め治具内に配置された前記加飾フィルムの上面加飾部を折り曲げガイドによって上から押圧し、前記折り曲げガイドから水平方向に突出している前記側面加飾部を、折り曲げ手段によって前記上面加飾部に対して折り曲げる工程、折り曲げられた前記加飾フィルムを保持手段によって保持し、前記位置決め治具から取り出し、金型内へと移動させて前記金型内に配置する工程、および、折り曲げられた前記加飾フィルムが配置された前記金型に樹脂を充填してインサート成形を行い、樹脂成形品を形成する工程を含むことにより、加飾フィルムの金型内への位置決め精度が向上し、１枚の加飾フィルムによって樹脂成形品の上面および側面を同時に綺麗に加飾することができ、歩留まりを向上させ、樹脂成形品の加飾のコストを低減することができる。
【００１６】
前記樹脂成形品は、側面の角部が曲面で面取りされた形状を有しており、前記樹脂成形品に合わせて、前記加飾フィルムは、前記上面加飾部の角部を、前記樹脂成形品の側面の角部の曲面に合わせた曲線でカットし、隣接する前記側面加飾部の端部を、前記樹脂成形品の側面の角部の曲面上で、互いに突き合わされて接触するように形成し、前記樹脂成形品の側面の曲面からなる１つの角部を、２つの前記側面加飾部によって加飾することにより、樹脂成形品の角部を大きなＲの曲面で面取りした形状が可能となり、樹脂成形品のデザイン性を高めることができる。
【００１７】
隣接する前記側面加飾部の端部を、前記樹脂成形品の側面の曲面からなる角部で、一部が互いに重なり合うように形成することにより、前記樹脂成形品の角部における加飾フィルムの突き合わせ部分に隙間が生じるのを防止することができる。
【００１８】
本発明の加飾フィルムは、樹脂成形品をインサート成形する際に、前記樹脂成形品の上面、側面、および、前記側面の曲面で面取りされた角部を同時に加飾するための加飾フィルムであって、前記樹脂成形品の上面を加飾する上面加飾部、および、前記樹脂成形品の側面を加飾する側面加飾部を有し、前記上面加飾部および前記側面加飾部は一体で平坦に形成されており、前記上面加飾部の角部は、前記樹脂成形品の側面の角部の曲面に合わせた曲線でカットされており、隣接する前記側面加飾部の端部は、前記樹脂成形品の側面の角部の曲面上で、互いに突き合わされて接触するように形成されていることにより、１枚の加飾フィルムによって樹脂成形品の上面、側面および曲面で面取りされた角部を同時に綺麗に加飾することができ、歩留まりを向上させることができ、さらに、樹脂成形品の角部のＲを大きくすることができるようになり、様々な形状の樹脂成形品に使用することができるようになる。
【００１９】
隣接する前記側面加飾部の端部は、前記樹脂成形品の側面の角部の曲面上で、一部が互いに重なり合うように形成されていることにより、前記樹脂成形品の角部における加飾フィルムの突き合わせ部分に隙間が生じるのを防止することができる。
【図面の簡単な説明】
【００２０】
【図１】本発明の樹脂成形品の製造方法に使用する加飾フィルムの平面図である。
【図２】加飾フィルムによって加飾された樹脂成形品の斜視図である。
【図３】位置決め治具を備える装置の斜視図である。
【図４】位置決め治具に加飾フィルムを配置した状態の斜視図である。
【図５】加飾フィルムを折り曲げガイドで押圧した状態の斜視図である。
【図６】加飾フィルムの位置決めから折り曲げガイドによる押圧までの工程を示す断面図および一部拡大断面図である。
【図７】加飾フィルムの折り曲げ工程を示す断面図および一部拡大断面図である。
【図８】折り曲げられた加飾フィルムを位置決め治具から取り出す工程を示す断面図および一部拡大断面図である。
【図９】本発明の加飾フィルムの平面図および一部拡大平面図である。
【図１０】折り曲げられた状態の本発明の加飾フィルムの角部の斜視図である。
【図１１】本発明の加飾フィルムによって加飾された樹脂成形品の角部の斜視図である。
【図１２】本発明の別の形態の加飾フィルムの角部の平面図である。
【図１３】本発明の別の形態の加飾フィルムによって加飾された樹脂成形品の角部の斜視図である。
【発明を実施するための形態】
【００２１】
本発明の樹脂成形品の製造方法および加飾フィルムについて、図面を参照しながら以下に詳細に説明する。まず初めに、本発明の樹脂成形品の製造方法について説明する。図１に示すのが、本発明の樹脂成形品の製造方法に使用する加飾フィルム１０の平面図であり、図２に示すのが、加飾フィルム１によって加飾した樹脂成形品２０の斜視図であり、図３〜８に示すのが本発明の樹脂成形品の製造方法の工程を示す図である。
【００２２】
本発明の樹脂成形品の製造方法は、図１に示すような１枚の加飾フィルム１０を用いてインサート成形することによって、図２に示すように、樹脂成形品２０の上面および側面を同時に加飾して樹脂成形品を製造する方法である。まず初めに、本発明の樹脂成形品の製造方法に使用する加飾フィルム１０について説明する。
【００２３】
図１に示すように、加飾フィルム１０は、１つの上面加飾部１１および４つの側面加飾部１２を有する１枚のフィルムであり、前記上面加飾部１１は矩形でその４辺に前記側面加飾部１２がそれぞれ配置されている。前記上面加飾部１１と前記側面加飾部１２との境界は、図面には境界を分かり易くするために線を記載しているが、折り線の切り込みなどは設けておらず、前記加飾フィルム１０は、平坦な１枚のフィルムで構成されている。前記加飾フィルム１０は、図示していないが、様々な柄、文字などによって加飾を、印刷などを用いて施すことが可能である。そして、前記加飾フィルム１０の材質および加飾方法については特に限定するものではなく、従来用いられている材質および加飾方法を適用することができる。
【００２４】
前記加飾フィルム１０を、図４，６（ａ）に示すように、装置２の位置決め治具３内に配置する。図３に示すように、前記位置決め治具３内には、前記加飾フィルム１０を載せる台４が配置されており、図４，６（ａ）に示すように、前記位置決め治具３内に前記加飾フィルム１０を配置すると、前記位置決め治具３の４つの側面によって前記加飾フィルム１０は位置決めされ、前記台４の上には、前記加飾フィルム１０の上面加飾部１１が載置された状態となり、前記側面加飾部１２は、図６（ａ）に示すように、前記台４から水平方向に突出した状態となっている。前記加飾フィルム１０を前記位置決め治具３内へ配置する手段は特に限定するものではなく、前記加飾フィルム１０が置いてある位置から移動手段を用いて配置する、あるいは、手で加飾フィルム１０を前記位置決め治具３内に配置することも可能である。
【００２５】
前記位置決め治具３内に前記加飾フィルム１０を配置した後、図６（ｂ），（ｃ）に示すように、前記加飾フィルム１０の上面加飾部１１を上から、折り曲げガイド５によって押圧する。前記折り曲げガイド５は、前記上面加飾部１１全体をカバーする大きさを有しており、図６（ｂ），（ｃ）に示すように、周縁部は厚みが薄くなっており、さらに、バキュームによる吸引手段６を内蔵している。図５に示すように、前記折り曲げガイド５によって前記加飾フィルム１０を押圧すると、前記加飾フィルム１０は、図６（ｃ）に示すように、前記上面加飾部１１が前記折り曲げガイド５および前記台４によって上下に挟まれ、前記側面加飾部１２は、前記折り曲げガイド５および前記台４の周囲から水平方向に突出した状態となっている。
【００２６】
前記側面加飾部１２の下方には、図６（ｃ）に示すように、折り曲げ手段である４つのローラー７が配置されており、前記ローラー７によって、前記側面加飾部１２の折り曲げを行う。前記折り曲げガイド５によって、前記上面加飾部１１を上方から押圧すると、バネなどの弾性手段によって保持されている前記台４は下方へと移動することから、前記加飾フィルム１０は前記位置決め治具３内を下方へと移動する。
【００２７】
図７（ａ）に示すように、前記加飾フィルム１０を下方へと移動させると、前記折り曲げガイド５および前記台４から水平方向に突出している前記側面加飾部１２は、下方に位置する前記ローラー７と当接し、上方へと折り曲げられ、図７（ｂ）に示すように、前記側面加飾部１２は前記上面加飾部１１に対して直角に折り曲げられた状態となる。
【００２８】
このようにして、折り曲げ手段である前記ローラー７によって、前記加飾フィルム１０の折り曲げ加工を行うことにより、前記加飾フィルム１０は、前記上面加飾部１１に対して、４つの側面加飾部１２が直角に折り曲げられた状態となり、樹脂成形品２０の表面に沿った形状とすることができる。
【００２９】
このようにして、前記加飾フィルム１０の折り曲げ加工を行うが、前記加飾フィルム１０の材質、厚み、構成などによっては、折り曲げ加工後に、前記側面加飾部１２の折り曲げ状態が少し元の状態に戻る場合がある。そのため、前記ローラー７を用いて、前記側面加飾部１２を直角からさらに折り曲げる工程を用いることができる。
【００３０】
前記側面加飾部１２を直角からさらに折り曲げるために、前記折り曲げガイド５の周縁部の上面が、前記ローラー７よりも下になるように、前記折り曲げガイド５による押圧を継続する。そして、前記折り曲げガイド５の周縁部の上面が、前記ローラー７よりも下に移動したら前記折り曲げガイド５の押圧を停止させ、対向する２つの前記ローラー７を互いに近づくように水平方向に移動させると、図７（ｃ）に示すように、前記側面加飾部１２は、前記折り曲げガイド５の周縁部の上面へとさらに折り曲げられた状態となる。この時、４つの前記ローラー７を同時に移動させるのではなく、図７（ｃ）に示すように、対向する２つの前記ローラー７による２つの前記側面加飾部１２の折り曲げを行い、２つの前記ローラー７を元の位置に戻した後、残りの２つの前記ローラー７によって残りの２つの前記側面加飾部１２のさらなる折り曲げを行う。その後、残りの２つの前記ローラー７を元の位置に戻すと、前記加飾フィルム１０の折り曲げ加工が完了する。前記側面加飾部１２を図７（ｃ）のように折り畳まれた状態まで折り曲げたとしても、前記側面加飾部１２は元に戻ろうとするが、図８（ａ）に示すように、略直角に折り曲げた状態で収まるように、折り曲げる強度および角度、前記加飾フィルム１０の材質などを適宜設定する。
【００３１】
このようにして、前記加飾フィルム１０の折り曲げ加工が完了すると、保持手段である前記吸引手段６によって、前記加飾フィルム１０を保持し、図８（ｂ）に示すように、前記加飾フィルム１０を前記位置決め治具３から取り出して、金型（図示せず）内へと移動させる。この時、前記加飾フィルム１０を、図８（ｂ）に示すように、折り曲げられた状態を保ちながら移動させて、前記金型内の所定の位置に挿入するが、前記加飾フィルム１０の形状は、前記金型に合わせて折り曲げられていることから、簡単に、そして、正確に、前記金型内の所定の位置に配置することができる。
【００３２】
前記金型に前記加飾フィルム１０を配置した後は、図示していないが、従来のインサート成形と同様に、前記金型内に樹脂を充填してインサート成形を行うことにより、樹脂成形品２０を形成する。その結果、図２に示すように、上面および側面が１枚の前記加飾フィルム１０によって加飾された樹脂成形品２０が完成する。
【００３３】
本発明の樹脂成形品の製造方法は、加飾フィルム１０の位置決め精度を向上させ、前記加飾フィルム１０は折り曲げ部分が薄くなることが無く、樹脂成形品２０の上面および側面を１枚で同時に綺麗に加飾することができるようになり、歩留まりを向上させることができる。
【００３４】
前記加飾フィルム１０は、コンパクトの蓋などの樹脂成形品２０の上面および４つの側面を加飾することを想定して形状を記載しており、４つの側面加飾部１２を有する形態を用いて説明しているが、例えば、樹脂成形品２０の上面および一部の側面だけを加飾することも可能であり、その場合、前記側面加飾部１２の数を変更することで簡単に対応することができる。
【００３５】
また、前記樹成形品２０の側面については、上面に対して直角であることを想定しているが、直角に限定するのではなく、傾斜した側面とすることも可能である。この場合、前記加飾フィルム１０の側面加飾部１２の折り曲げ角度を変更することで簡単に対応することができる。
【００３６】
前記加飾フィルム１０の折り曲げ工程については、前記折り曲げガイド５によって前記加飾フィルム１０を押圧して下方へと移動させているが、前記折り曲げガイド５によって前記加飾フィルム１０を上から押圧して固定した状態で、折り曲げ手段を上方へと移動させることにより、前記折り曲げガイド５から突出している前記側面加飾部１２を折り曲げることも可能である。そして、前記折り曲げ手段はローラー７に限定するものではなく、前記側面加飾部１２を破損することなく直角に折り曲げることができる構造であれば、様々な折り曲げ手段を用いることができる。
【００３７】
そして、前記ローラー７によって直角からさらなる折り曲げ加工を行う工程については、図７（ｃ）に示すように、１８０°まで折り曲げるだけでなく、前記折り曲げガイド５の周縁部の上面を傾斜面として、９０〜１８０°の範囲で所定の角度まで折り曲げることも可能であり、前記加飾フィルム１の厚み、材質などに合わせて変更することができる。また、前記樹脂成形品２０の側面の角度に合わせて、適宜、折り曲げ角度を変えることも可能である。
【００３８】
次に、本発明の加飾フィルム１について説明する。本発明の加飾フィルム１は、側面の角部が面取りされた曲面を有する樹脂成形品２１の加飾に使用するものであり、図９に示すように、樹脂成形品２１の上面を加飾する１つの上面加飾部１３、および、樹脂成形品２１の４つの側面を加飾する４つの側面加飾部１４を有している。前記加飾フィルム１は、図示してないが、様々な加飾を施すことが可能であり、加飾方法、材質については特に限定するものではなく、従来の加飾フィルムに用いられている様々な材質および加飾方法を適用することができる。また、前記側面加飾部１４の数についても４つに限定するものではない。
【００３９】
前記加飾フィルム１の上面加飾部１３は、樹脂成形品２１の角部の曲面に合わせて、図９に示すように、４つの角部を曲線でカットして形成されており、さらに、前記側面加飾部１４は、隣接する前記側面加飾部１４が、樹脂成形品２０の角部の曲面上で端部が互いに突き合わされて接触するように大きさおよび形状が決定されている。
【００４０】
本発明の加飾フィルム１は、本発明の樹脂成形品の製造方法を用いることで、側面の角部が曲面で面取りされた樹脂成形品２１の上面、側面、および、曲面からなる角部を同時に綺麗に加飾することができる。前記加飾フィルム１を用いて樹脂成形品２１を加飾する工程については、前記加飾フィルム１０を用いた場合と、大きく変わるものではないことから、詳細な説明は省略するが、一部の工程について以下に説明する。
【００４１】
本発明の樹脂成形品の製造方法によって、前記加飾フィルム１を位置決めし、その後、折り曲げ加工すると、前記加飾フィルム１は、図１０に示すように、折り曲げられた状態となるが、前記加飾フィルム１の側面加飾部１４は、前記樹脂成形品２１の角部の曲面を加飾する部分が曲面にはなっておらず、平坦な状態となっている。しかしながら、このような状態で前記加飾フィルム１を金型内に配置すると、前記側面加飾部１４の端部は、金型の角部の曲面に沿って曲面状になる（前記側面加飾部１４の端部を金型内に押しこむ工程が必要となる場合もある）。
【００４２】
その後、前記金型内に樹脂を充填してインサート成形を行うことにより、前記加飾フィルム１によって加飾された前記樹脂成形品２１が完成する。前記加飾フィルム１によって加飾された樹脂成形品２１は、図１１に示すように、上面および側面だけではなく、側面の角部の曲面も加飾フィルム１の側面加飾部１４によって全て加飾された状態となり、また、樹脂成形品２１の上面の４つの角部の縁の部分も前記加飾フィルム１の上面加飾部１３によって綺麗に加飾された状態となる。
【００４３】
このように、本発明の加飾フィルム１を用いることにより、側面の角部が曲面で面取りされた形状の樹脂成形品２１であっても、１枚の加飾フィルム１によって角部まで全て綺麗に加飾することができるようになる。
【００４４】
前記加飾フィルム１を形成する際に、曲線での切断が必要となるが、レーザーを用いると前記上面加飾部１３の角部の曲線付近が綺麗に仕上がらないで隙間が生じる可能性があることから、刃物による切断を行うことが好ましい。
【００４５】
前記加飾フィルム１を用いて、側面の角部が曲面である樹脂成形品２１を加飾する場合、図１１に示すように、樹脂成形品２１の側面の角部の曲面上で、隣接する前記側面加飾部１４の継ぎ目が形成されることから、前記側面加飾部１４の寸法の誤差、あるいは、位置決めの際の少しのずれによって、継ぎ目に隙間が生じて目立つことから、この隙間を防止するために、前記加飾フィルム１を、前記側面加飾部１４の一部を重ね合わせる形態とすることが可能である。
【００４６】
図１２に示すのが、側面加飾部１４に重なり合う部分１５を設けた形態の加飾フィルム１の角部の平面図である。前記加飾フィルム１は、前記側面加飾部１４の下方の幅を広げた形状とし、図１２において、網掛けで記載している３角形の領域が互いに重なり合う部分１５となる。前記重なり合う部分１５は、面積が大きくなると十分に付着しない可能性があることから、前記側面加飾部１４の端部の全体に設けるのではなく、端部の一部（図１２の場合、上端で重なりが０となる３角形）が重なり合うように設定している。
【００４７】
本発明の加飾フィルム１は、前記重なり合う部分１５を設けることにより、樹脂成形品２１を加飾した時、図１３に示すように、側面の角部の曲面上において、前記側面加飾部１４の重なり合う部分１５が位置することになり、誤差、ずれなどが生じたとしても前記重なり合う部分１５の面積が変化するだけで、前記樹脂成形品２１の角部の曲面上において隙間が生じる可能性を大幅に減少させることができる。
【００４８】
本発明の加飾フィルム１は、本発明の樹脂成形品の製造方法に用いることを想定しているが、他の樹脂成形品の製造方法に用いることも可能であり、その場合、前記側面加飾部１４を折り曲げやすくするために、折り線として切り込みを設けることも可能である。
【符号の説明】
【００４９】
１，１０    加飾フィルム
２          装置
３          位置決め治具
４          台
５          折り曲げガイド
６          吸引手段
７          ローラー
１１，１３  上面加飾部
１２，１４  側面加飾部
２０，２１  樹脂成形品
【図１】
2019051630.tif 000003
【図２】
2019051630.tif 000004
【図３】
2019051630.tif 000005
【図４】
2019051630.tif 000006
【図５】
2019051630.tif 000007
【図６】
2019051630.tif 000008
【図７】
2019051630.tif 000009
【図８】
2019051630.tif 000010
【図９】
2019051630.tif 000011
【図１０】
2019051630.tif 000012
【図１１】
2019051630.tif 000013
【図１２】
2019051630.tif 000014
【図１３】
2019051630.tif 000015